(57)【要約】      （修正有）【課題】通行者及び運転者に不快な感情を与えずに通行者が自動車の接近を察知できるような警報音を発生し、運転者の意志によって警報音を入切し音量を変更することが出来る自動車用警音発生装置を製造後の車体にもコンパクトに設置できるように提供する。【解決手段】スピーカが収納された音響出力部２と、無線により制御され前記音響出力部２に音響信号を出力するための音響出力制御装置３と、該音響出力制御装置３の動作を無線にてオン・オフさせるとともに音響信号の出力強度も制御するリモートコントローラ４とを備えた自動車用警音発生装置である。【選択図】図１
0003159093.tif 000002
【実用新案登録請求の範囲】
【請求項１】
静粛な音で走行する状態を備えた自動車に装着し、歩行者や自転車等に対し自動車の走
行を認識させるための自動車用警音発生装置であって、
スピーカが収納された音響出力部と、無線により制御され前記音響出力部に音響信号を出力するための音響出力制御装置と、前記音響出力制御装置の動作を無線にてオン・オフさせるとともに音響信号の出力強度も制御するリモートコントローラとを備えたことを特徴とする自動車用警音発生装置。
【請求項２】
前記音響出力制御装置は、前記音響出力部に出力する音響信号として疑似エンジン音を備えていることを特徴とする請求項１記載の自動車用警音発生装置。
【請求項３】
前記音響出力制御装置は、前記リモートコントローラの操作に対応して前記音響出力部に出力する音響信号の出力強度を変えることができるように構成されていることを特徴する請求項１又は２記載の自動車用警音発生装置。
【請求項４】
前記リモートコントローラは、オン時に発光し続ける発光体を備えたことを特徴とする請求項１記載の自動車用警音発生装置。
【考案の詳細な説明】
【技術分野】
【０００１】
本考案は静粛な走行音を有する自動車が歩行者等の通行者に自動車の走行を注意喚起させるための自動車用警音発生装置に関するものである。
【背景技術】
【０００２】
現在環境性能に特化した次世代自動車と呼ばれるハイブリット車や電気自動車、燃料電池車が相次いで開発され販売されるようになってきている。ハイブリッド車はエンジンと電気モーターを動力源としており、電気自動車や燃料電池車は電気モーターを動力源としている。電気モーターはガソリンエンジンやディーゼルエンジンと比べると非常に静粛性が良く運転者にとっては快適である。
【０００３】
しかしながら、歩行者等の通行者は自動車の接近を視覚だけでなく聴覚によっても察知している。このため、低速時にはタイヤ音も小さくエンジン音も無音の自動車が背後から接近してきた場合など気づかずに非常に危険な場合がある。通常は通行者に注意喚起を促すためにクラクションを鳴らすが、運転者の心理としてクラクションの警報音（警笛音）を鳴らすことに抵抗感を持つ者も多い。また、歩行者の方も傍で急にクラクションを鳴らされると驚くし、また不快感を持つ場合もある。また、出会い頭の場合はクラクションを鳴らす時間的余裕がないこともあり危険である。
【０００４】
これに対し、自動車の走行状態に応じてクラクションのような大きな音ではないが歩行
者等に注意を喚起するための警報音を発生させる警報音発生装置を、自動車の設計、製造
段階から車体内部に組み込む構成のものがある（例えば特許文献１及び特許文献２参照）
。
【先行技術文献】
【特許文献】
【０００５】
【特許文献１】特開平１０−２０１００１号公報
【特許文献２】特開２００４−３２２９９０公報
【考案の概要】
【考案が解決しようとする課題】
【０００６】
現実には上記特許文献の構成を搭載した自動車はほとんどなく、搭載するには設計変更を要するため開発に時間がかかり当然ながら開発費用、製造費用もかかる。さらに、既に販売された自動車については上記発明の装置を搭載することは非常に困難でもある。
また、上記発明は自動で警報音を発生するため、運転者の意志で警報音を入切したり音量を変更することはできない。
本考案の課題は、上記課題を解決するため、通行者及び運転者に不快な感情を与えずに通行者が自動車の接近を察知できるような警報音を発生し、運転者の意志によって警報音を入切し音量を変更することが出来る自動車用警音発生装置を製造後の車体にもコンパクトに設置できるように提供することにある。
【課題を解決するための手段】
【０００７】
本考案は、上記課題を鑑みてなされたものであり、請求項１の考案は静粛な音で走行する状態を備えた自動車に装着し、歩行者や自転車等に対し自動車の走行を認識させるための自動車用警音発生装置であって、スピーカが収納された音響出力部と、無線により制御され前記音響出力部に音響信号を出力するための音響出力制御装置と、前記音響出力制御装置の動作を無線にてオン・オフさせるとともに音響出力も制御するリモートコントローラとを備えたことを特徴としている。
【０００８】
また、請求項２記載の自動車用警音発生装置は、請求項１記載の考案において、前記音響出力制御装置は、前記音響出力部に出力する音響信号として疑似エンジン音を備えていることを特徴としている。
【０００９】
請求項３記載の自動車用警音発生装置は、請求項１又は２記載の考案において、前記音響出力制御装置は、前記リモートコントローラの操作に対応して前記音響出力部に出力する音響信号の出力強度を変えることができるように構成されていることを特徴としている。
【００１０】
また、請求項４記載の自動車用警音発生装置は、請求項１記載の考案において、前記リモートコントローラは、オン時に発光し続ける発光体を備えたことを特徴としている。
【考案の効果】
【００１１】
請求項１の考案では、自動車が電気モーター走行時のように静音走行する際、特に町中や住宅地を低速走行する際に、自動車用警音発生装置を作動させることで歩行者や自転車に注意を喚起させることができる。また、自動車用警音発生装置は運転者の意思によって運転席で警音を入切し音量を変更することが出来ることにより、例えば深夜の住宅街では発生音を切ったり或いは音量を下げたりすることが出来る利点があり、さらに製造後の車体にもコンパクトに設置できるように提供することにより、既に販売された自動車にも比較的安価で容易に設置することが出来るという利点がある。
【００１２】
また、請求項２の考案では、音響出力制御装置に内蔵された音響信号が疑似エンジン音であるので、通常人々が聞き慣れている自動車のエンジン音に近く違和感が生じない。
【００１３】
また、請求項３の考案では、音響出力制御装置は、音響出力部に出力する音響信号の出力強度を変える音量調整機能を備えているので、騒音の多い昼間と静かな深夜など状況に応じて発生音の強度を変えることができ好都合となる。
【００１４】
また、請求項４の考案では、音響出力部に発光体を具備させたので、リモートコントローラのオンオフ動作を目視でき安心感を得ることができる。
【図面の簡単な説明】
【００１５】
【図１】本考案の自動車用警音発生装置の一実施例を示す図である。
【図２】図１の自動車外部に設置する音響出力部の構成図である。
【図３】本考案の自動車用警音発生装置を自動車に設置した場合の一実施形態を示す斜視図である。
【図４】（ａ）本実施例の音響出力部の正面図、（ｂ）背面図、（ｃ）右側面図である。
【図５】図４中のＡ−Ａ線断面図である。
【考案を実施するための形態】
【００１６】
以下、本考案に係る自動車用警音発生装置の実施形態を図面を参照して説明する。
自動車用警音発生装置１０は、図１に示すように、音響出力部２、音響出力制御装置３及びリモートコントローラ（リモコン）４から構成されている。
【００１７】
音響出力部２は図１、２、４及び図５に示すように、ヘッド１１を有し、該ヘッド１１はスピーカ１２を格納するためにドーナツ形状に構成されており、内径はスピーカ１２の外形より若干広くなっている。また、ヘッド１１には支持部材であるパイプ１７とねじ止めするためのねじ部１１ａがあり、ねじ部１１ａはスピーカ１２のワイヤハーネスを通すため中空となっている。
【００１８】
また、音響出力部２は円形のレンズ１３、１４を備えており、前記ヘッド１１にスピーカ１２を装着したあと、これらのレンズ１３、１４により両側から蓋をする。レンズ１３、１４は光透過性の樹脂であり、図４の断面図に示すように、外面は緩やかな曲面となっており内面はヘッド１１と密接配置するために平面となっている。これは自動車のコーナーポールとして光線を反射あるいは透過して車体コーナー部の位置把握をしやすくするための工夫である。レンズ１３は貫通孔１３ａが複数個あいておりこれにより音響伝達性を向上させる。レンズ１３はスピーカ１２のスピーカーコーン側にヘッド１１と嵌合され、また、レンズ１３をヘッド１１に嵌合する際、防水性及び通音性を有する樹脂ラミネートフィルム１５をレンズ１３とヘッド１１との間に挟み込む。これにより防水のみの樹脂ラミネートフィルムを使用する場合に比べ音響伝達性が向上する。
【００１９】
支持部材のパイプ１７は図５に示すように中空となっており、スピーカ１２のワイヤハーネス１６はこの中空部分に配線される。パイプ１７の一端はヘッド１１との接続のための雌ねじが切ってある。他端は車体外装との取付のためのボルト１８が取り付けられている。ボルト１８もワイヤハーネス１６の配線のため中空構造となっている。
【００２０】
支持部材は図３に示すように直接バンパーに取り付けても良いが、この場合バンパーに穴あけ加工などを施さなくてはならない場合があるため、取り付け容易性や意匠性の問題からステーを作製し既設のねじ部を利用して設置することも考えられる。また、支持部を自動に又は手動で伸縮可能なものに置き換えることも可能である。また、コーナーポールの役割を付加させる場合は、図３に示すように車体前面運転席の対角側のバンパーに設置することが好適である。
その場合に、図４に示すように、音響出力部２の上面に発光ダイオード２３を設けておけば、夜間でも自動車のコーナーが視認しやすくなる。この場合、発光ダイオード２３の電源はワイヤハーネス１６を介して供給することになる。
【００２１】
次に、音響出力制御装置３について説明する。音響出力制御装置３は、図１に示すように、疑似エンジン音発生部３ａと無線受信部３ｂとから構成されており、図３に示すようにエンジンルーム内に設置される。また、リモコン４は運転席に配置することなり、運転者が任意に入切でき、またリモコン４に設置されたスイッチ付きボリューム４ａにより音量調節もできる。リモコン４と音響出力制御装置３の受信部３ｂとの通信方式はＲＦ方式による。Ｂｌｕｅｔｏｏｔｈ規格やＩＥＥＥ８０２．１５．４規格を用いることになる。
【００２２】
音響出力制御装置３から音響出力部２に出力する音響信号の音質は疑似エンジン音となる。予め、音響出力制御装置３内のＲＯＭに記憶させておくことになる。自動車が電気モーターで駆動される低速時やＥＶ車のように常にモーター駆動の場合は、走行音が静粛なので、運転者は室内に配置したリモコン４のボリューム４ａを操作して、先ずオンにしてスイッチ１９を作動させ疑似エンジン音発生部３ａに電源を供給し、次にボリュームを回し疑似エンジン音をスピーカー１２から発生させて歩行者等に自動車の走行を知らせる。騒音の大きな場所ではボリューム４ａを上げて更なる注意を喚起させる。なお、自動車が赤信号で停止している場合や高速巡行時等発生音が不要な場合はリモコン４を操作して手動で音を切ることができるようにしている。
なお、リモコン４には、ＬＥＤ等からなる発光体４ｂが設けられていて、リモコン４のオンオフ動作を目視できるようにしている。
【産業上の利用可能性】
【００２３】
本考案の実施の形態では、この自動車用警音発生装置を自動車に装着して使用するようにしたが、これに限らず荷物運搬用として工場内を走行する電気車両や電気駆動のフォークリフト等にも装備することができる。
【符号の説明】
【００２４】
２      音響出力部
３      音響出力制御装置
３ａ    疑似エンジン音発生部
３ｂ    受信部
４      リモートコントローラ
４ａ    スイッチ付きボリューム
４ｂ    発光体
１０    自動車用警音発生装置
１１    ヘッド
１２    スピーカー
１３，１４    レンズ
１５    樹脂ラミネートフィルム
１６    ワイヤハーネス
１７    パイプ
１８    ボルト
１９    スイッチ
２３    発光ダイオード
【図１】
0003159093.tif 000003
【図２】
0003159093.tif 000004
【図３】
0003159093.tif 000005
【図４】
0003159093.tif 000006
【図５】
0003159093.tif 000007